(57)【要約】【課題】  記録用紙の温度が高く水蒸気圧が大きい場合でも、記録用紙と一対の定着ベルトとの密着性を磁力により保持すること。【構成】  加熱定着ロール２を含む複数の加熱ベルト支持ロール２〜６により回転可能に支持された無端状の磁性材料製の加熱ベルト１と、加圧定着ロール１４を含む複数の加圧ベルト支持ロール１４〜１６により回転可能に支持された無端状の加圧ベルト１３とにより構成される一対の定着ベルト１，１３と、前記一対の定着ベルト１，１３の圧接領域Ｑ５の前記加圧ベルト１３の内周面に当接する板状またはシート状の磁力発生部材１８であって、前記加熱ベルト１を磁力により吸引して前記加圧ベルト１３に圧接させる前記磁力発生部材１８とを備えた定着装置。【選択図】図２
2005338594.tif 000002
【特許請求の範囲】
【請求項１】
下記の構成要件（Ａ01）〜（Ａ04）を備えた定着装置、
（Ａ01）加熱ベルトおよび加圧ベルトにより構成される一対の定着ベルトの圧接領域を通過する記録用紙上に形成されたトナー像を加熱定着する前記一対の定着ベルト、
（Ａ02）前記加熱ベルトを加熱するベルト加熱部材、
（Ａ03）加熱定着ロールを含む複数の加熱ベルト支持ロールにより回転可能に支持された無端状の磁性材料製の加熱ベルトと、加圧定着ロールを含む複数の加圧ベルト支持ロールにより回転可能に支持された無端状の加圧ベルトとにより構成される前記一対の定着ベルト、
（Ａ04）前記圧接領域の前記加圧ベルトの内周面に当接する板状またはシート状の磁力発生部材であって、前記加熱ベルトを磁力により吸引して前記加圧ベルトに圧接させる前記磁力発生部材。
【請求項２】
下記の構成要件（Ａ01），（Ａ02），（Ａ05），（Ａ06）を備えた定着装置、
（Ａ01）加熱ベルトおよび加圧ベルトにより構成される一対の定着ベルトの圧接領域を通過する記録用紙上に形成されたトナー像を加熱定着する前記一対の定着ベルト、
（Ａ02）前記加熱ベルトを加熱するベルト加熱部材、
（Ａ05）加熱定着ロールを含む複数の加熱ベルト支持ロールにより回転可能に支持された無端状の加熱ベルトと、加圧定着ロールを含む複数の加圧ベルト支持ロールにより回転可能に支持された無端状の磁性材料製の加圧ベルトとにより構成される前記一対の定着ベルト、
（Ａ06）前記圧接領域の前記加熱ベルトの内周面に当接する板状またはシート状の磁力発生部材であって、前記加圧ベルトを磁力により吸引して前記加熱ベルトに圧接させる前記磁力発生部材。
【請求項３】
下記の構成要件（Ａ01），（Ａ02），（Ａ07）〜（Ａ09）を備えた定着装                                    置、
（Ａ01）加熱ベルトおよび加圧ベルトにより構成される一対の定着ベルトの圧接領域を通過する記録用紙上に形成されたトナー像を加熱定着する前記一対の定着ベルト、
（Ａ02）前記加熱ベルトを加熱するベルト加熱部材、
（Ａ07）加熱定着ロールを含む複数の加熱ベルト支持ロールにより回転可能に支持された無端状の加熱ベルトと、加圧定着ロールを含む複数の加圧ベルト支持ロールにより回転可能に支持された無端状の加圧ベルトとにより構成される前記一対の定着ベルト、
（Ａ08）前記圧接領域の前記加熱ベルトの内周面に当接する板状またはシート状の加熱ベルト当接部材および、前記圧接領域の前記加圧ベルトの内周面に当接する板状またはシート状の加圧ベルト当接部材、
（Ａ09）一方の当接部材が磁性材料により構成され、他方の当接部材が磁力発生部材により構成された前記加熱ベルト当接部材および前記加圧ベルト当接部材。
【請求項４】
下記の構成要件（Ａ010）を備えた請求項１ないし３のいずれか記載の定着装置、
（Ａ010）前記板状またはシート状の磁力発生部材を冷却するための冷却装置。
【請求項５】
下記の構成要件（Ａ011）〜（Ａ014）を備えた画像形成装置、
（Ａ011）給紙トレイに収容された記録用紙を取り出して、用紙転写領域、定着領域に順次搬送するシート搬送装置、
（Ａ012）回転する像担持体表面にトナー像を形成するトナー像形成装置、
（Ａ013）前記用紙転写領域を通過する記録用紙に、前記像担持体上に形成されたトナー像を転写する転写装置、
（Ａ014）前記定着領域において前記記録用紙上に転写されたトナー像を定着する定着装置であって、請求項１ないし４のいずれか記載の定着装置。
【発明の詳細な説明】
【技術分野】
【０００１】
本発明は、プリンタ、複写機、ＦＡＸ（ファクシミリ装置）、それらの複合機等の画像形成装置および前記画像形成装置で使用される定着装置に関する。
【背景技術】
【０００２】
近年、電子写真方式、静電記録方式等を利用したプリンタ、複写機、複合機等の画像形成装置に使用される定着装置として、下記の技術が従来公知である。
（１）特開平２−０５０１６０号公報（特許文献１）記載の技術
特許文献１には、回転する張架状態の定着ベルトを使用し、その定着ベルトを加熱しつつそのベルト表面に対して未定着のトナー画像が担持された記録用紙を圧接させ、その定着ベルトに密着させた状態のままで冷却しながら搬送し、最後に定着ベルトから剥離させることで定着を行うタイプのベルト定着装置が提案されている。
このタイプの定着装置によれば、記録用紙上のトナー画像が定着ベルトの平滑な表面にならって表面平滑な状態で冷却固化された後に定着ベルトから剥離されるため、特に光沢感に優れた定着画像が得られるようになる。また、記録用紙の定着ベルトからの剥離はトナーが冷却固化された後に行われるため、トナーが定着ベルトに転移付着するオフセットも発生し難くなる利点がある。
【０００３】
一方、記録用紙の内部には元々水分が含まれており、定着時に水分が水蒸気となり記録用紙の外へ排出される。特に、高速プリント時等に記録用紙の温度が１００℃を超えるような高温で定着する場合には、水蒸気による圧力で記録用紙が定着ベルトから局部的に剥がれてしまい、温度分布が不均一となりブリスターと呼ばれる画像乱れの１つである光沢ムラを引き起こしてしまう。
【０００４】
前記のような問題を解決するための下記の技術が従来公知である。
（２）特開平５−１６５３５０号公報（特許文献２）記載の技術
特許文献２記載の技術は、定着ベルトと対向する位置にフィルムを接触させ、記録用紙を定着ベルトとフィルムの間に挟み込んだまま搬送冷却するものである。この構成によればフィルムのテンションにより定着ベルトと記録用紙との密着性が向上する。しかしながら、ベルトの駆動に負荷を与えないためにフィルムのテンションには上限があり、水蒸気圧がこれを超えたときにはブリスターの発生を抑制できない。
【０００５】
（３）特開２００１−１６６６１０号公報（特許文献３）記載の技術
特許文献３記載の技術は、ニップ後に圧接ロールで記録用紙をベルトに密着させた後に冷却するものである。これは一度水蒸気圧により剥がれた記録用紙を再度定着ベルトに密着させることができるので、ブリスタ低減には効果がある。しかしながら、記録用紙が大きく剥がれたときに圧接ロールで押してしまうと、記録用紙が剥がれる前にいた位置には戻れず、浮いた部分が寄せ集められるようになるために紙しわになる危険性がある。
【０００６】
【特許文献１】特開平２−０５０１６０号公報
【特許文献２】特開平５−１６５３５０号公報
【特許文献３】特開２００１−１６６６１０号公報
【発明の開示】
【発明が解決しようとする課題】
【０００７】
本発明は前述の事情に鑑み、次の記載内容（Ｏ01），（Ｏ02）を技術的課題とする。
（Ｏ01）記録用紙温度が高く水蒸気圧が大きい場合でも定着ベルトとの密着性を保持すること。
（Ｏ02）定着ベルトと加圧ベルトを隙間なく密着させたまま用紙を冷却できるようにすること。
【課題を解決するための手段】
【０００８】
次に、前記課題を解決した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００９】
（第１発明）
前記課題を解決するために第１発明の定着装置は、下記の構成要件（Ａ01）〜（Ａ04）を備えたことを特徴とする。
（Ａ01）加熱ベルト（１）および加圧ベルト（１３）により構成される一対の定着ベルト（１，１３）の圧接領域（Ｑ５）を通過する記録用紙（Ｓ）上に形成されたトナー像を加熱定着する前記一対の定着ベルト（１，１３）、
（Ａ02）前記加熱ベルト（１）を加熱するベルト加熱部材（２，４，６）、
（Ａ03）加熱定着ロール（２）を含む複数の加熱ベルト支持ロール（２〜６）により回転可能に支持された無端状の磁性材料製の加熱ベルト（１）と、加圧定着ロール（１４）を含む複数の加圧ベルト支持ロール（１４〜１６）により回転可能に支持された無端状の加圧ベルト（１３）とにより構成される前記一対の定着ベルト（１，１３）、
（Ａ04）前記圧接領域（Ｑ５）の前記加圧ベルト（１３）の内周面に当接する板状またはシート状の磁力発生部材（１８）であって、前記加熱ベルト（１）を磁力により吸引して前記加圧ベルト（１３）に圧接させる前記磁力発生部材（１８）。
【００１０】
前記「磁性材料製の加熱ベルト（１）」は、磁性体材料で製作したり、磁性体粒子をベルト材料内に含有させて製作したりすることが可能である。
【００１１】
（第１発明の作用）
前記構成要件（Ａ01）〜（Ａ04）を備えた第１発明の定着装置では、加熱定着ロール（２）を含む複数の加熱ベルト支持ロール（２〜６）は、無端状の磁性材料製の加熱ベルト（１）を回転可能に支持する。また、加圧定着ロール（１４）を含む複数の加圧ベルト支持ロール（１４〜１６）は、無端状の加圧ベルト（１３）を回転可能に支持する。ベルト加熱部材（２，４，６）は、前記加熱ベルト（１）を加熱する。
前記一対の定着ベルト（１，１３）は、前記定着領域（Ｑ５）を通過する記録用紙（Ｓ）上に形成されたトナー像を加熱定着する。
前記定着領域（Ｑ５）の前記加圧ベルト（１３）の内周面に当接する板状またはシート状の磁力発生部材（１８）は、前記加熱ベルト（１）を磁力により吸引して前記加圧ベルト（１３）に圧接させる。すなわち、前記磁力発生部材（１８）の磁力により磁性材料製の加熱ベルト（１）を加圧ベルト（１３）に密着させることができるので、各定着ベルトのテンションに関わらず両定着ベルトの密着性を上げることができ、水蒸気圧が大きい場合でも前記定着領域（Ｑ５）を通過する記録用紙（Ｓ）と前記一対の定着ベルト（１，１３）との密着性が保たれる。
【００１２】
（第２発明）
前記課題を解決するために第２発明の定着装置は、下記の構成要件Ａ01），（Ａ02），（Ａ05），（Ａ06）を備えたことを特徴とする。
（Ａ01）加熱ベルト（１）および加圧ベルト（１３）により構成される一対の定着ベルト（１，１３）の圧接領域（Ｑ５）を通過する記録用紙（Ｓ）上に形成されたトナー像を加熱定着する前記一対の定着ベルト（１，１３）、
（Ａ02）前記加熱ベルト（１）を加熱するベルト加熱部材（２，４，６）、
（Ａ05）加熱定着ロール（２）を含む複数の加熱ベルト支持ロール（２〜６）により回転可能に支持された無端状の加熱ベルト（１）と、加圧定着ロール（１４）を含む複数の加圧ベルト支持ロール（１４〜１６）により回転可能に支持された無端状の磁性材料製の加圧ベルト（１３）とにより構成される前記一対の定着ベルト（１，１３）、
（Ａ06）前記定着領域（Ｑ５）の前記加熱ベルト（１）の内周面に当接する板状またはシート状の磁力発生部材（１８）であって、前記加圧ベルト（１３）を磁力により吸引して前記加熱ベルト（１）に圧接させる前記磁力発生部材（１８）。
【００１３】
前記「磁性材料製の加圧ベルト」は、磁性体材料で製作したり、磁性体粒子をベルト材料内に含有させて製作したりすることが可能である。
【００１４】
（第２発明の作用）
前記構成要件（Ａ01），（Ａ02），（Ａ05），（Ａ06）を備えた第２発明の定着装置では、加熱定着ロール（２）を含む複数の加熱ベルト支持ロール（２〜６）は、無端状の加熱ベルト（１）を回転可能に支持する。また、加圧定着ロール（１４）を含む複数の加圧ベルト支持ロール（１４〜１６）は、無端状の磁性材料製の加圧ベルト（１３）を回転可能に支持する。ベルト加熱部材（２，４，６）は、前記加熱ベルト（１）を加熱する。
前記一対の定着ベルト（１，１３）は、前記定着領域（Ｑ５）を通過する記録用紙（Ｓ）上に形成されたトナー像を加熱定着する。
前記定着領域（Ｑ５）の前記加熱ベルト（１）の内周面に当接する板状またはシート状の磁力発生部材（１８）は、磁力により磁性材料製の前記加圧ベルト（１３）を吸引して前記加熱ベルト（１）に圧接させる。すなわち、前記磁力発生部材（１８）の磁力により加圧ベルト（１３）を加熱ベルト（１）に密着させることができるので、各定着ベルト（１，１３）のテンションに関わらず両定着ベルト（１，１３）の密着性を上げることができ、水蒸気圧が大きい場合でも前記定着領域（Ｑ５）を通過する記録用紙（Ｓ）と前記一対の定着ベルト（１，１３）との密着性が保たれる。
【００１５】
（第３発明）
前記課題を解決するために第３発明の定着装置は、下記の構成要件（Ａ01），（Ａ02），（Ａ07）〜（Ａ09）を備えたことを特徴とする。
（Ａ01）加熱ベルト（１）および加圧ベルト（１３）により構成される一対の定着ベルト（１，１３）の圧接領域（Ｑ５）を通過する記録用紙（Ｓ）上に形成されたトナー像を加熱定着する前記一対の定着ベルト（１，１３）、
（Ａ02）前記加熱ベルト（１）を加熱するベルト加熱部材（２，４，６）、
（Ａ07）加熱定着ロール（２）を含む複数の加熱ベルト支持ロール（２〜６）により回転可能に支持された無端状の加熱ベルト（１）と、加圧定着ロール（１４）を含む複数の加圧ベルト支持ロール（１４〜１６）により回転可能に支持された無端状の加圧ベルト（１３）とにより構成される前記一対の定着ベルト（１，１３）、
（Ａ08）前記定着領域（Ｑ５）の前記加熱ベルト（１）の内周面に当接する板状またはシート状の加熱ベルト当接部材（１８ａ）および、前記定着領域（Ｑ５）の前記加圧ベルト（１３）の内周面に当接する板状またはシート状の加圧ベルト当接部材（１８ｂ）、
（Ａ09）一方の当接部材（１８ａ）が磁力発生部材により構成され、他方の当接部材（１８ｂ）が磁性材料により構成された前記加熱ベルト当接部材（１８ａ）および前記加圧ベルト当接部材（１８ｂ）。
【００１６】
前記「磁力発生部材」により構成される「一方の当接部材」は、永久磁石または電磁石等により製作することが可能である。
また、前記「磁性材料」により構成される「他方の当接部材」は、磁性体材料で製作したり、磁性体粒子を材料内に含有させて製作したりすることが可能である。
【００１７】
（第３発明の作用）
前記構成要件（Ａ01），（Ａ02），（Ａ07）〜（Ａ09）を備えた第３発明の定着装置では、加熱定着ロール（２）を含む複数の加熱ベルト支持ロール（２〜６）は、無端状の加熱ベルト（１）を回転可能に支持する。また、加圧定着ロール（１４）を含む複数の加圧ベルト支持ロール（１４〜１６）は、無端状の加圧ベルト（１３）を回転可能に支持する。ベルト加熱部材（２，４，６）は、前記加熱ベルト（１）を加熱する。
前記一対の定着ベルト（１，１３）は、前記定着領域（Ｑ５）を通過する記録用紙（Ｓ）上に形成されたトナー像を加熱定着する。
板状またはシート状の加熱ベルト当接部材（１８ａ）は、前記定着領域（Ｑ５）の前記加熱ベルト（１）の内周面に当接する。また、板状またはシート状の加圧ベルト当接部材（１８ｂ）は、前記定着領域（Ｑ５）の前記加圧ベルト（１３）の内周面に当接する。前記加熱ベルト当接部材（１８ａ）および前記加圧ベルト当接部材（１８ｂ）の中の一方の当接部材は磁力発生部材（１８ａ）により構成され、他方の当接部材（１８ｂ）は磁性材料により構成されるので、前記両当接部材（１８ａ，１８ｂ）間に配置された一対の定着ベルト（１，１３）は両当接部材（１８ａ，１８ｂ）間に挟まれた状態で圧接される。このため、一対の定着ベルト（１，１３）を密着させることができるので、各定着ベルト（１，１３）のテンションに関わらず両定着ベルト（１，１３）の密着性を上げることができる。このため、水蒸気圧が大きい場合でも前記定着領域（Ｑ５）を通過する記録用紙（Ｓ）と前記一対の定着ベルト（１，１３）との密着性が保たれる。
【００１８】
（第１〜第３発明の形態１）
第１〜第３発明の形態１の定着装置は、前記第１〜第３発明のいずれかにおいて、下記の構成要件（Ａ010）を備えたことを特徴とする。
（Ａ010）前記板状またはシート状の磁力発生部材（１８）を冷却するための冷却装置（２１）。
（第１〜第３発明の形態１の作用）
前記構成要件（Ａ010）を備えた第１〜第３発明の形態１の定着装置では、冷却装置（２１）は前記板状またはシート状の磁力発生部材（１８）を冷却する。このため、前記シート状の磁力発生部材（１８ａ）が当接する前記定着ベルト（１）が冷却されるので、前記定着領域（Ｑ５）を通過する記録用紙（Ｓ）を冷却することができ、定着後のトナーを冷却固化してから剥離できるので高光沢で光沢むらのない定着画像を得ることができる。
【００１９】
（第４発明）
前記課題を解決するために第４発明の画像形成装置は、下記の構成要件（Ａ011）〜（Ａ014）を備えたことを特徴とする。
（Ａ011）給紙トレイ（ＴＲ1）に収容された記録用紙（Ｓ）を取り出して、用紙転写領域（Ｑ４）、定着領域（Ｑ５）に順次搬送するシート搬送装置（ＳＨ）、
（Ａ012）回転する像担持体（ＰＲ）表面にトナー像を形成するトナー像形成装置（ＵＴ）、
（Ａ013）前記用紙転写領域（Ｑ４）を通過する記録用紙（Ｓ）に、前記像担持体（ＰＲ）上に形成されたトナー像を転写する用紙転写装置（ＢＭ＋Ｕｔ）、
（Ａ014）前記定着領域（Ｑ５）において前記記録用紙（Ｓ）上に転写されたトナー像を定着する定着装置（Ｆ）であって、前記第１発明ないし第３発明のいずれか、または前記第１発明ないし第３発明のいずれかの形態１の定着装置（Ｆ）。
【００２０】
（第４発明の作用）
前記構成要件（Ａ011）〜（Ａ014）を備えた第４発明の画像形成装置では、シート搬送装置（ＳＨ）は、給紙トレイ（ＴＲ1）に収容された記録用紙（Ｓ）を取り出して、用紙転写領域（Ｑ４）、定着領域（Ｑ５）に順次搬送する。
トナー像形成装置（ＵＴ）は、回転する像担持体（ＰＲ）表面にトナー像を形成する。
転写装置（ＢＭ＋Ｕｔ）は、前記用紙転写領域（Ｑ４）を通過する記録用紙（Ｓ）に、前記像担持体（ＰＲ）上に形成されたトナー像を転写する。
前記定着領域（Ｑ５）を通過する前記記録用紙（Ｓ）上のトナー像を定着する前記定着装置（Ｆ）は、、前記第１発明ないし第３発明のいずれか、または前記第１発明ないし第３発明のいずれかの形態１の定着装置により、構成されているので、それらの定着装置（Ｆ）と、同様の作用を奏する。すなわち、前記定着装置（Ｆ）は、前記定着領域（Ｑ５）において、加熱ベルト（１）および加圧ベルト（１３）が密着しているので、水蒸気圧が大きい場合でも前記定着領域（Ｑ５）を通過する記録用紙（Ｓ）と前記一対の定着ベルト（１，１３）との密着性が保たれる。
【発明の効果】
【００２１】
前述の本発明の定着装置および画像形成装置は、下記の効果（Ｅ01），（Ｅ02）を奏する。
（Ｅ01）記録用紙の温度が高く水蒸気圧が大きい場合でも定着ベルトとの密着性を磁力により保持することができるので、紙しわの発生のない定着装置および画像形成装置を提供することができる。
（Ｅ02）定着ベルトと加圧ベルトを隙間なく密着させたまま用紙を冷却できるので、むらのない高グロスと安定的な剥離を得られる定着装置および画像形成装置を提供することが可能となる。
【発明を実施するための最良の形態】
【００２２】
次に図面を参照しながら、本発明の実施例の具体例（実施例）を説明するが、本発明は以下の実施例に限定されるものではない。
【実施例１】
【００２３】
図１は本発明の実施例１の定着装置を備えた画像形成装置の説明図である。
図１において、画像形成装置Ｕは、自動原稿搬送装置Ｕ1とこれを支持するプラテンガラスＰＧを有する画像形成装置本体（複写機）Ｕ2とを備えている。
前記自動原稿搬送装置Ｕ1は、複写しようとする複数の原稿Ｇｉが重ねて載置される原稿給紙トレイＴＧ1と、原稿給紙トレイＴＧ1から前記プラテンガラスＰＧ上の複写位置（原稿読取位置）を通過して搬送される原稿Ｇｉが排出される原稿排紙トレイＴＧ2とを有している。
【００２４】
前記画像形成装置本体Ｕ２は、ユーザがコピースタート等の作動指令信号を入力操作するＵＩ（ユーザインタフェース）、露光光学系Ａ等を有している。
前記自動原稿搬送装置Ｕ１でプラテンガラスＰＧ上を搬送される原稿または手動でプラテンガラスＰＧ上に置かれた原稿（図示せず）からの反射光は、前記露光光学系Ａを介して、ＣＣＤ（固体撮像素子）でＲ（赤）、Ｇ（緑）、Ｂ（青）の電気信号に変換される。
ＩＰＳ（イメージプロセッシングシステム）は、前記ＲＧＢの電気信号をＹ（イエロー）、Ｍ（マゼンタ）、Ｃ（シアン）、Ｋ（黒）の画像データに変換して一時的に記憶し、前記画像データを所定のタイミングでレーザ駆動回路ＤＬに出力する。
【００２５】
図１の矢印Ｙａ方向に回転移動する像担持体（感光体ドラム）ＰＲの表面は、帯電ロールＣＲにより一様に帯電され、潜像書込位置Ｑ１、現像領域Ｑ２、および１次転写領域Ｑ３を順次通過する。
前記レーザ駆動回路ＤＬにより駆動されるＲＯＳ（潜像書込装置）は、レーザビームＬにより前記潜像書込位置Ｑ１において像担持体ＰＲ表面を露光走査して像担持体ＰＲ表面に静電潜像を形成する。フルカラー画像を形成する場合は、Ｙ（イエロー）、Ｍ（マゼンタ）、Ｃ（シアン）、Ｋ（黒）の４色の画像に対応した静電潜像が順次形成され、モノクロ画像の場合はＫ（黒）画像に対応した静電潜像のみが形成される。
【００２６】
ロータリ式の現像装置Ｇは、回転軸Ｇａの回転に伴って前記現像領域Ｑ２に順次回転移動するＹ（イエロー）、Ｍ（マゼンタ）、Ｃ（シアン）、Ｋ（黒）の４色の現像器ＧＹ，ＧＭ，ＧＣ，ＧＫを有している。前記各色の現像器ＧＹ，ＧＭ，ＧＣ，ＧＫは、前記現像領域Ｑ２に現像剤を搬送する現像ロールＧＲを有しており、現像領域Ｑ２を通過する像担持体ＰＲ上の静電潜像をトナー像Ｔｎに現像する。
前記帯電ロールＣＲ、像担持体ＰＲ、ＲＯＳ（潜像書込装置）、現像装置Ｇ等により、前記像担持体ＰＲ上にトナー像を形成するトナー像形成装置ＵＴが構成されている。
【００２７】
前記像担持体ＰＲの下方には左右一対のスライドレールＳＲ，ＳＲによりスライドフレームＦ１（２点鎖線で表示）が前後方向（画面に垂直な方向）にスライド移動可能に支持されている。スライドフレームＦ１にはベルトモジュールＢＭのベルトフレームＦ２がヒンジ軸Ｆ２a周りに上下に回動可能に支持されている。
前記ベルトモジュールＢＭは、前記中間転写ベルトＢを回転移動可能に支持する複数のベルト支持ロール（Ｒｄ，Ｒｔ，Ｒｆ，Ｔ２a）と、１次転写ロールＴ１と、コンタクトロールＴ２cと、それらを支持する前記ベルトフレームＦ２とを有している。
前記複数のベルト支持ロール（Ｒｄ，Ｒｔ，Ｒｆ，Ｔ２a）は、ベルト駆動ロールＲｄ、テンションロールＲｔ、アイドラロール（フリーロール）ＲｆおよびバックアップロールＴ２aを含み、バックアップロールＴ２aには前記コンタクトロールＴ２cが当接している。
【００２８】
前記ベルトモジュールＢＭは、前記ヒンジ軸Ｆ２a周りに上下に回動可能であり、下方に回動した状態では、前記スライドフレームＦ１とともに前記像担持体ＰＲと摩擦接触することなく、画像形成装置本体Ｕ２に対して出入可能である。
前記１次転写ロールＴ１は、コントローラＣが制御する電源回路Ｅによりトナーの帯電極性と逆極性の１次転写電圧が印加され、前記像担持体ＰＲ表面のトナー像Ｔｎを、１次転写領域Ｑ３において中間転写ベルトＢに１次転写する。フルカラー画像の場合、像担持体ＰＲ表面に順次形成されるＹ，Ｍ，Ｃ，Ｋの各色のトナー像Ｔｎは、前記１次転写領域Ｑ３において中間転写ベルトＢ表面に順次重ねて１次転写され、最終的にフルカラーの多重トナー像が中間転写ベルトＢ上に形成される。
単色のモノカラー画像を形成する場合には１個の現像器のみを使用し、単色トナー像が中間転写ベルトＢ上に１次転写される。
１次転写後、像担持体ＰＲ表面は、残留トナーが像担持体クリーナＣＬpによりクリーニングされ、除電ロールＪＲにより除電される。
【００２９】
前記バックアップロールＴ２aの下方には、左右一対のスライドレールＳＲ，ＳＲにより前後方向（Ｘ軸方向）にスライド移動可能な２次転写スライドフレームＦsが、画像形成装置本体Ｕ２に対して前後方向（画面に垂直な方向）から着脱可能に支持されている。前記２次転写スライドフレームＦsには２次転写ユニットＵtの２次転写昇降フレームＦtがヒンジ軸Ｆta周りに上下に回動可能に支持されている。２次転写ユニットＵtは下方に回動した状態では前記ベルトモジュールＢＭと摩擦接触することなく、画像形成装置本体Ｕ２に対して出入可能である。
前記２次転写ユニットＵtは、２次転写ロールＴ２bと、２次転写ロールクリーナＣＬtと、ロール支持レバーＬｒと、転写後記録用紙ガイドＳＧ2と、記録用紙搬送ベルトＢＨと、それらを支持する前記２次転写昇降フレームＦtと、を有している。
【００３０】
前記ロール支持レバーＬｒは、前記２次転写ロールＴ２bおよび２次転写ロールクリーナＣＬtを支持するレバーであり、図示しないモータによりヒンジ軸Ｌａ周りに回動され、前記２次転写ロールＴ２bを、前記中間転写ベルトＢに接触する２次転写位置および中間転写ベルトＢから離れた待機位置の間で移動させる。
前記２次転写ロールＴ２bおよび前記中間転写ベルトＢの接触領域により２次転写領域（用紙転写領域）Ｑ４が形成され、前記２次転写ロールＴ２b、前記バックアップロールＴ２aおよびコンタクトロールＴ２cにより２次転写器Ｔ２が構成されている。前記２次転写領域Ｑ４は、記録用紙Ｓにトナー像を転写する用紙転写領域Ｑ４である。
【００３１】
給紙トレイＴＲ1に収容された記録用紙Ｓは、所定のタイミングでピックアップロールＲｐにより取り出され、さばきロールＲｓで１枚ずつ分離されてから、レジロールＲｒに搬送される。
【００３２】
前記レジロールＲｒに搬送された記録用紙Ｓは、前記１次転写された多重トナー像または単色トナー像が２次転写領域Ｑ４に移動するのにタイミングを合わせて、転写前記録用紙ガイドＳＧ1から２次転写領域Ｑ４に搬送される。
前記２次転写領域Ｑ４を記録用紙Ｓが通過する際、２次転写器Ｔ２のコンタクトロールＴ２cには、コントローラＣが制御する電源回路Ｅからトナーの帯電極性と同極性の２次転写電圧が印加される。前記２次転写器Ｔ２は、前記中間転写ベルトＢに重ねて１次転写されたカラートナー像を前記２次転写領域Ｑ４において一括して記録用紙Ｓに２次転写する。
前記ベルトモジュールＢＭ、前記２次転写ユニットＵtにより、２次転写領域Ｑ４を通過する記録用紙Ｓに、前記像担持体ＰＲ上のトナー像を転写する用紙転写装置（ＢＭ＋Ｕｔ）が構成されている。
２次転写後の中間転写ベルトＢはベルトクリーナＣＬbにより残留トナーが除去される。また、前記２次転写ロールＴ２bは２次転写ロールクリーナＣＬtにより表面付着トナーが回収される。
【００３３】
なお、前記２次転写ロールＴ２bおよびベルトクリーナＣＬbは、中間転写ベルトＢと離接（離隔および接触）可能に配置されており、カラー画像が形成される場合には最終色の未定着トナー像が中間転写ベルトＢに１次転写されるまで、中間転写ベルトＢから離隔している。なお、前記２次転写ロールクリーナＣＬtは、中間転写ベルトＢに対して前記２次転写ロールＴ２bと一緒に離接移動を行う。
トナー像が２次転写された前記記録用紙Ｓは、転写後記録用紙ガイドＳＧ2、記録用紙搬送ベルトＢＨにより定着領域Ｑ６に搬送され、定着領域Ｑ６を通過する際に一対の定着ベルト（後述）を有する定着装置Ｆにより加熱定着される。トナー像が定着された記録用紙Ｓは、記録用紙排出トレイＴＲ2に排出される。
前記符号Ｒｐ，Ｒｓ，Ｒｒ，ＳＧ1，ＳＧ2，ＢＨで示された要素により記録用紙搬送装置ＳＨが構成されている。
【００３４】
（定着装置）
図２は本発明の実施例１の定着装置の説明図である。
この定着装置Ｆは、プリンタ、複写機等の画像形成装置において、記録用紙上に形成されたトナー画像を加熱定着するために使用される。図中の実線矢印Ｙｂ、Ｙｃ、Ｙｄは主な回転部品の回転方向を示す。定着装置Ｆは、矢印方向Ｙｂに回転する無端状の定着ベルト１と、前記定着ベルト１の内周面を支持する加熱定着ロール（ベルト加熱部材）２、剥離ロール３、第１加熱ロール（ベルト加熱部材）４およびアイドラロール５と、前記定着ベルト１の外周面に当接する第２加熱ロール（ベルト加熱部材）６とを有している。前記加熱定着ロール２、第１加熱ロール４および第２加熱ロール６の内部にはそれぞれ加熱ランプ２ｈ、４ｈおよび６ｈが内蔵されている。
なお、前記加熱定着ロール２、剥離ロール３、第１加熱ロール４、アイドラロール５および第２加熱ロール６により、定着ベルト１を回転可能に支持する定着ベルト支持ロール（２〜６）が構成されている。
【００３５】
前記第１加熱ロール４は定着ベルトテンショナ７により前記定着ベルト１を外側に移動させる力（定着ベルト１にテンションを付与する力）を受けている。
矢印Ｙｃ方向に回転する前記第２加熱ロール６の外周面には、矢印Ｙｄ方向に回転するオイルウェブ８が、オイルウェブ加圧ロール９により押圧されている。前記矢印Ｙｄ方向に回転する前記オイルウェブ８は、オイルウェブ送り出しロール１０から送りだされて、オイルウェブ巻き取りロール１１に巻き取られている。
【００３６】
また、定着装置Ｆは、矢印Ｙｅ方向に回転する加圧ベルト１３と、前記加圧ベルト１３の内周面を支持する加圧定着ロール１４、剥離ロール１５、および加圧ベルトステアリングロール１６とを有している。
なお、前記加圧定着ロール１４、剥離ロール１５および加圧ベルトステアリングロール１６により、加圧ベルト１３を回転可能に支持する加圧ベルト支持ロール（１４〜１６）が構成されている。
前記加圧ベルトステアリングロール１６は加圧ベルトテンショナ１７により前記加圧ベルト１３を外側に移動させる力（加圧ベルト１３にテンションを付与する力）を受けている。前記加圧ベルト１３と前記加熱ベルト１とにより一対の定着ベルト（１，１３）が構成されている。
前記定着ベルト１および加圧ベルト１３を挟んで、前記加熱定着ロール２と加圧定着ロール１４とが圧接し、前記剥離ロール３と剥離ロール１５とが圧接している。前記定着ベルト１および加圧ベルト１３とが圧接する圧接領域Ｑ５は、前記加熱定着ロール２と加圧定着ロール１４とにより圧接させられている上流側圧接領域（定着ニップ）Ｑ５ａと、前記剥離ロール３と剥離ロール１５とにより圧接させられている下流側圧接領域Ｑ５ｂと、前記各圧接領域Ｑ５ａとＱ５ｂとの間の中間圧接領域Ｑ５ｃとを有している。
【００３７】
前記中間圧接領域Ｑ５ｃには、加圧ベルト１３の内側面に磁気プレート（磁力発生部材）１８が接触するように配置されている。前記磁気プレート１８は冷却ダクト１９が連結されており、冷却ダクト１９は送風ファン２０により冷却用エアが流れるように構成されている。前記磁気プレート１８は前記冷却ダクト１９を流れる冷却用エアにより冷却される。前記冷却ダクト１９および送風ファン２０により冷却装置２１が構成されている。
【００３８】
前記加熱定着ロール２と加圧定着ロール１４は、外径９０ｍｍの円筒形の金属（アルミニウム等）製ロール基体に例えば硬度１７°程度のシリコーンゴム等からなる厚さ６ｍｍ程度の耐熱弾性層を形成した構造のものであり、図示しない加圧機構により例えば２.５×１０5Ｐａ程度の所定の加圧力でもって矢印Ｃ方向に圧接し、そのニップ幅（前記上流側圧接領域（定着ニップＱ５ａのベルト搬送方向の長さ）が２０ｍｍ程度となるように設置されている。また、この加熱定着ロール２は、その内部空間に配置したハロゲンランプ等の加熱源としての加熱ランプ２ｈにより、定着動作時の温度まで上昇させている。
定着ベルト１は、ニッケルからなる厚さ５０μｍ程度のベルト基材上に、厚さ６０μｍ程度のシリコーン共重合体等からなる弾性層と、さらに２０μｍ程度のフッ素ゴム等からなる表面離型層をこの順に積層形成した３層構造のものである。この定着ベルト１は、定着ベルトテンショナ７によりＤの方向に所定のテンションを与えられ、加熱定着ロール２によって矢印方向Ｙｂに回転するようになっている。
【００３９】
剥離ロール３は、定着ベルト１を急激に曲がった状態で移動走行させるように支持し、これにより定着ベルト１に密着した記録用紙Ｓをそれ自身のこしの強さにより自力で剥離させる役割を果たしている。アイドラロール５は、定着ベルト１のニップ前の波うちを矯正し、定着ベルト１と記録用紙の位置関係を安定させるものである。
第１加熱ロール４、第２加熱ロール６は、例えば外径が４０ｍｍの円筒状の金属（アルミニウム等）製ロールであり、その内部に配置したハロゲンランプ等の加熱源としての加熱ランプ４ｈ、６ｈにより、定着ベルト１をその内周面側及び外周面側から加熱する。また、第１加熱ロール４は、ベルトテンションロールとしての役割も果たしており、定着ベルト１の張りを整えて駆動を安定化させている。さらに第１加熱ロール４は、その回転軸の一端側が変位（傾斜）して定着ベルト１の蛇行走行を矯正する機能も有している。
【００４０】
加圧ベルト１３は、厚さ５０μｍ程度のポリイミド等のベルト基材上にシリコーンゴム等からなる厚さ６０μｍ程度の弾性層と、さらにシリコーン樹脂等からなる厚さ10μｍ程度の表面離型層をこの順に積層形成した３層構造のものである。この加圧ベルト１３は、加圧定着ロール１４、剥離ロール１５、加圧ベルトステアリングロール１６とに張架されており、加圧ベルトテンショナ１８により矢印Ｅの方向に所定のテンションを与えられ、矢印Ｙｅ方向に回転するようになっている。この加圧ベルト１３は、加圧定着ロール１４と剥離ロール１５の所定の区間で定着ベルト１の外周面と接して同じ方向に回転移動する。加圧ベルトステアリングロール１６は、その回転軸の一端側が変位（傾斜）して加圧ベルト１３の蛇行走行を矯正する機能を有している。
【００４１】
オイルウェブ加圧ロール９は、オイルウェブ８を第２加熱ロール６に十分に押し付けて、オイルウェブ８に含浸させたオイルを第２加熱ロール６を介して定着ベルト１に供給するものである。オイルウェブ８は、オイルウェブ送り出しロール１０、オイルウェブ巻き取りロール１１により前記矢印Ｙｄ方向へ所定の巻き取り速度で送り出される。
冷却装置２１は、加圧定着ロール１４と剥離ロール１５との間の所定間隔内で加圧ベルト１３の内周面に接する放熱基板と、その放熱基板の片面に立設される複数枚の図示しない放熱フィンとからなる放熱部材であるヒートシンクを備え、その放熱フィンに冷却ダクト１９を介して送風ファン２０から冷却風を送風して空冷する空冷機構とを備えている。
【００４２】
次に定着ベルト１と加圧ベルト１３の密着性について説明する。
図３は前記実施例１の図２に示す定着装置の比較例としての従来の定着装置の概略説明図である。
図３に示す従来の定着装置Ｆ′は、本発明の実施例１ （図１、図２参照）で説明した構成部品と同一の構成部品については同一符号を付してある。定着ベルト１は、ポリイミド等からなる厚さ５０μｍ程度のベルト基材上に、厚さ６０μｍ程度のシリコーン共重合体等からなる弾性層と、さらに２０μｍ程度のフッ素ゴム等からなる表面離型層をこの順に積層形成した３層構造のものである。
この定着装置Ｆ′に対して、定着対象のトナー像を担持する記録用紙Ｓは、矢印Ｇ方向に搬送され、加熱定着ロール２と加圧定着ロール１４とにより挟まれた定着ベルト１および加圧ベルト１３の上流側圧接領域Ｑ５ａにより形成される定着ニップ部Ｑ５ａに導き入れられる。前記定着ニップ部Ｑ５ａから剥離ロール１５までの圧接領域Ｑ５ｃ，Ｑ５ｂにおいては、定着ベルト１とトナー像と記録用紙Ｓは一体となって密着されるとともに加熱され、トナーが溶融状態となり個々のトナーが融着して一つの平滑なフィルム状となることが望ましい。この時、トナー像への効率的な熱伝達及び記録用紙Ｓへ溶融トナーを沈みこませて凹凸のない画像を形成する目的で、定着ベルト１と記録用紙Ｓの密着が必要であるが、これが実現できずところどころに空気が入ったりすると、空気のあるところとないところで熱容量が変わりトナー像が均一に溶融せず、定着ムラが微小なグロスむらとなる。
【００４３】
また、前記定着ニップ（上流側圧接領域）Ｑ５は、記録用紙Ｓが十分に密着し部分的な浮きが発生せず、かつ記録用紙Ｓにしわやずれが発生しないようにニップ圧力が設定される。また、トナーが定着された記録用紙Ｓは、定着ベルト１と密着した状態で前記中間圧接領域Ｑ５ｃ、下流側圧接領域Ｑ５ｂを搬送され、剥離位置（下流側圧接領域Ｑ５ｂの下流端）において剥離される。剥離に際しては、トナーが十分に凝集固化し記録用紙Ｓ表面に強い接着力で定着できるように、用紙の定着ベルトと接している表面をトナー軟化点より低温となる温度で用紙が剥離されることが望ましい。
一方、記録用紙Ｓの内部には元々水分が含まれており、定着時に水分が水蒸気となり記録用紙Ｓの外へ排出される。ここで、記録用紙Ｓの温度が１００℃を超えるような高温で定着する場合には、水蒸気による圧力で記録用紙Ｓが定着ベルト１から局部的に剥がれてしまい、温度分布が不均一となりブリスターと呼ばれる画像乱れの１つである光沢ムラを発生してしまう。このようなブリスターは、以下に示すような条件において発生し易い。
【００４４】
第１に、高速プリント時に十分な定着強度を得るために定着ニップ（上流側圧接領域）Ｑ５ａの設定温度を高くする場合である。定着ニップＱ５ａが記録用紙Ｓを加熱圧接する時間は、速度に応じて短くなるため高速になればなるほどトナーを記録用紙に溶融固着しづらくなる。この場合、定着ニップＱ５ａの温度を高くすることでトナーの溶融を早めて定着強度を確保する必要がある。
第２に、厚紙の定着強度を得るために定着ニップＱ５ａ部の設定温度を高くする場合である。厚紙が定着ニップＱ５ａに入ったときには、定着ニップＱ５ａの熱は用紙に多く奪われてしまいトナーの溶融のための熱が不足してしまうので、前記定着ニップＱ５ａの温度を高くすることでトナーの溶融を早めて定着強度を確保する必要がある。以上のように、前記定着ニップＱ５ａの温度を高くする高速定着や厚紙定着の場合は、ブリスター（高温状態で発生する蒸気が用紙やトナー画像から抜けたときに画像に形成される孔）を発生し易い状態である。
【００４５】
前記図３に示す従来技術おける前記ブリスターの発生を抑制するために、本実施例１の画像形成装置では図２に示す磁気プレート１８が設けられている。磁気プレート１８は、永久磁石または電磁コイル等により磁力を発生させ、磁性体を含有させた材料からなる前記定着ベルト１を磁気的に吸引するものである。定着ベルト１を吸引することにより、磁気プレート１８と定着ベルト１との間に挟まれた記録用紙Ｓおよび定着ベルト１３との密着性も向上する。また、ベルトテンションに関係なく、前記磁気プレート１８の磁力を調整することで所望の密着性が得られるので、ベルト駆動負荷に悪影響を与えない。また、前記磁気プレート１８として厚さの薄いものを使用すると磁気プレート１８が定着ベルト１および加圧ベルト１３の形状に倣って変形するので、定着ニップＱ５ａと磁気吸引部（磁力により密着される部分）との隙間を非常に小さくすることができ、定着ニップＱ５ａ直後の水蒸気発生による用紙の剥がれを抑制できる。
【００４６】
そして、磁気プレート１８を冷却する冷却装置２１を設けることで、ニップ直後から剥離まで定着ベルト１と記録用紙Ｓの密着性を保ったまま冷却できる。温度設定の例としては、加熱定着ロール２、第１加熱ロール４、第２加熱ロール６が１４０℃で、ベルト１，１３を速度３５０ｍｍ／ｓで駆動しながら剥離ロール１５近傍での記録用紙温度が７０℃になるように冷却装置２１で調節する。これらにより、画像濃度や画像面積率に関わらず、画像光沢および色再現性に優れ、色むらの発生がなく、粒状性に優れ、さらに、画像光沢の均一性に優れた画像を得ることが可能となる。
【００４７】
（実施例２）
図４は本発明の実施例２の定着装置の説明図である。
なお、この図４に示す実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図４において、加圧ベルト１３の材料を磁性体であるかもしくは磁性粒子をベルト材料内に含有させた構成としたものである。磁気プレート１８と冷却装置２１は、定着ベルト１の内周面側に配置し、加圧ベルト１３を吸引することにより、磁気プレート１８との間に挟まれた記録用紙Ｓと定着ベルト１との密着性を向上させる。この実施例２において、加圧ベルト１３は、表面に直接溶融トナーが接触しないため、表面層や弾性層が必ずしも必要でないため、磁性を有する加圧ベルト１３の構成は、定着ベルト１よりも簡略化することができる。
【００４８】
（実施例３）
図５は本発明の実施例３の定着装置の説明図である。
なお、この図５に示す実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
図５において、前記定着ベルト１と加圧ベルト１３との中間圧接領域Ｑ５ｃの前記定着ベルト１および加圧ベルト１３の一方のベルト１３の裏面側には磁石材料製の磁気プレート１８ａが配置され、他方のベルト１の裏面側には磁性材料製の磁性プレート１８ｂが配置されている。前記磁気プレート１８ａと磁性プレート１８ｂとは磁力により吸着されるので、前記中間圧接領域Ｑ５ｃの前記定着ベルト１と加圧ベルト１３とは、前記磁力により密着状態となる。したがって、中間圧接領域Ｑ５ｃを搬送される記録用紙Ｓ上のトナー像のブリスター（高温状態で発生する蒸気が用紙やトナー画像から抜けたときに画像に形成される孔）の発生を防止することができる。
なお、前記磁気プレート１８ａまたは磁性プレート１８ｂの裏面側に冷却装置を配置することにより、下流側圧接領域Ｑ５ｂ下流端で剥離される記録用紙Ｓの温度を７０℃程度に調節することが可能である。その場合、画像濃度や画像面積率に関わらず、画像光沢および色再現性に優れ、色むらの発生がなく、粒状性に優れ、さらに、画像光沢の均一性に優れた画像を得ることが可能となる。
なお、前記磁気プレート１８ａおよび磁性プレート１８ｂの表面には、前記ベルト１３，１と摩擦接触しても摩擦帯電しない材料（例えば、前記ベルト１３，１と同一材料）の表面層をコーティングしたり貼り付けたりして、ベルトが摩擦帯電しないように構成されている。
【００４９】
（実施例４）
図６は本発明の実施例４の定着装置の説明図である。
なお、この図６に示す実施例４の説明において、前記実施例１の構成要素に対応する構成要素には同一の符号を付して、その詳細な説明を省略する。
この実施例４は、下記の点で前記実施例１と相違しているが、他の点では前記実施例１と同様に構成されている。
図６において、前記定着ベルト１と加圧ベルト１３との中間圧接領域Ｑ５ｃの前記定着ベルト１および加圧ベルト１３の一方のベルト１３の裏面側には磁石材料製の磁気プレート１８ａが配置され、他方のベルト１の裏面側には磁性材料製のエンドレスの磁性ベルト１８ｃが回転可能に配置されている。前記磁気プレート１８ａと磁性ベルト１８ｃとは磁力により吸着されるので、前記中間圧接領域Ｑ５ｃの前記定着ベルト１と加圧ベルト１３とは、前記磁力により密着状態となる。したがって、中間圧接領域Ｑ５ｃを搬送される記録用紙Ｓ上のトナー像のブリスター（高温状態で発生する蒸気が用紙やトナー画像から抜けたときに画像に形成される孔）の発生を防止することができる。
なお、前記磁気プレート１８ａの表面には、前記加圧ベルト１３と摩擦接触しても摩擦帯電しない材料（例えば、前記加圧ベルト１３と同一材料）の表面層をコーティングしたり貼り付けたりして、加圧ベルト１３が摩擦帯電しないように構成されている。
【００５０】
（実施例４の変更例１）
前記実施例４において、前記磁気プレート１８ａの代わりに、回転可能なエンドレスの磁気ベルトを使用可能である。
【００５１】
（実施例５）
図７は本発明の実施例５の定着装置の説明図である。
なお、この図７に示す実施例５の説明において、前記実施例１の構成要素に対応する構成要素には同一の符号を付して、その詳細な説明を省略する。
この実施例５は、下記の点で前記実施例１と相違しているが、他の点では前記実施例１と同様に構成されている。
図７において、前記定着ベルト１と加圧ベルト１３との中間圧接領域Ｑ５ｃの前記定着ベルト１および加圧ベルト１３の両ベルト１，１３の裏面側には板バネ状プレート１９ａ，１９ｂが配置されている。前記板バネ状プレート１９ａ，１９ｂはその弾性力により前記両ベルト１，１３を互いに圧接させるので、前記中間圧接領域Ｑ５ｃの前記定着ベルト１と加圧ベルト１３とは、前記弾性力により密着状態となる。したがって、中間圧接領域Ｑ５ｃを搬送される記録用紙Ｓ上のトナー像のブリスター（高温状態で発生する蒸気が用紙やトナー画像から抜けたときに画像に形成される孔）の発生を防止することができる。
なお、前記板バネ状プレート１９ａまたは１９ｂの裏面側に冷却装置を配置することにより、下流側圧接領域Ｑ５ｂ下流端で剥離される記録用紙Ｓの温度を７０℃程度に調節することが可能である。その場合、画像濃度や画像面積率に関わらず、画像光沢および色再現性に優れ、色むらの発生がなく、粒状性に優れ、さらに、画像光沢の均一性に優れた画像を得ることが可能となる。
なお、前記バネ板状プレート１９ａ，１９ｂの表面には、前記ベルト１３，１と摩擦接触しても摩擦帯電しない材料（例えば、前記各ベルト１３，１と同一材料）の表面層をコーティングしたり貼り付けたりして、各ベルト１３，１が摩擦帯電しないように構成されている。
【産業上の利用可能性】
【００５２】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（Ｈ01）加圧定着ロール１４内部に加熱ランプまたはヒータを配置することが可能である。
（Ｈ02）前記一対のベルト定着ベルト１，１３を支持するロールの個数は２個以上の任意の数とすることが可能である。
【図面の簡単な説明】
【００５３】
【図１】図１は本発明の実施例１の定着装置を備えた画像形成装置の説明図である。
【図２】図２は本発明の実施例１の定着装置の説明図である。
【図３】図３は前記実施例１の図２に示す定着装置の比較例としての従来の定着装置の概略説明図である。
【図４】図４は本発明の実施例２の定着装置の説明図である。
【図５】図５は本発明の実施例３の定着装置の説明図である。
【図６】図６は本発明の実施例４の定着装置の説明図である。
【図７】図７は本発明の実施例５の定着装置の説明図である。
【符号の説明】
【００５４】
Ｑ５…圧接領域、
Ｓ…記録用紙、
１…加熱ベルト、
２…加熱定着ロール、
１３…加圧ベルト、
１４…加圧定着ロール、
１８…板状またはシート状の磁力発生部材、
（１，１３）…一対の定着ベルト、
（２，４，６）…ベルト加熱部材、
（２〜６）…加熱ベルト支持ロール、
（１４〜１６）…加圧ベルト支持ロール、
１８ａ…加熱ベルト当接部材、
１８ｂ…加圧ベルト当接部材、
２１…冷却装置、
【図１】
2005338594.tif 000003
【図２】
2005338594.tif 000004
【図３】
2005338594.tif 000005
【図４】
2005338594.tif 000006
【図５】
2005338594.tif 000007
【図６】
2005338594.tif 000008
【図７】
2005338594.tif 000009